(57)【要約】【課題】  沈胴時には、より薄く沈胴できると共に、撮影時である繰り出し状態においては、鏡胴内を回り込んだ不要光による撮影画像の劣化のない良好な画像が撮影できるレンズ鏡胴を得て、撮影時には不要光による撮影画像の劣化のない良好な画像が撮影できるカメラを得る。【解決手段】  複数のレンズ群からなる撮像光学系と、撮像光学系を保持し、繰り出し及び沈胴を行うレンズ鏡胴において、レンズ鏡胴は、撮像光学系による被写体光束通過部と異なる位置に開口部が形成された鏡胴部材を有し、開口部を開閉する開閉部材を備えているレンズ鏡胴とする。【選択図】        図３
2006243119.tif 000002
【特許請求の範囲】
【請求項１】
複数のレンズ群からなる撮像光学系と、前記撮像光学系を保持し、繰り出し及び沈胴を行うレンズ鏡胴において、
前記レンズ鏡胴は、前記撮像光学系による被写体光束通過部と異なる位置に開口部が形成された鏡胴部材と、前記開口部を開閉する開閉部材を有し、前記レンズ鏡胴が沈胴するときは前記開閉部材が前記開口部を開状態とし、前記レンズ鏡胴が撮影時の繰り出し位置にあるときは前記開閉部材が前記開口部を閉状態とすることを特徴とするレンズ鏡胴。
【請求項２】
被写体光束通過部と異なる位置に開口部が形成された鏡胴部材は、絞り及び／又はシャッタを設けた鏡胴部材であり、前記開閉部材は、前記鏡胴部材の前記絞り及び／又はシャッタと異なる面に配置されていることを特徴とする請求項１に記載のレンズ鏡胴。
【請求項３】
前記開口部は、沈胴時に前記レンズ鏡胴内に配置されたモータが挿入されることを特徴とする請求項１又は２に記載のレンズ鏡胴。
【請求項４】
前記レンズ鏡胴は、沈胴時に前記撮像光学系のうちの所定のレンズ群を他のレンズ群の光軸と異なる位置に退避させるよう構成されると共に、退避した前記所定のレンズ群が前記開口部に挿入されることを特徴とする請求項１又は２に記載のレンズ鏡胴。
【請求項５】
前記所定のレンズ群が他のレンズ群の光軸と異なる位置に退避したときは、前記開閉部材が他のレンズ群の光軸上に間挿されることを特徴とする請求項４に記載のレンズ鏡胴。
【請求項６】
請求項１〜５のいずれか１項に記載のレンズ鏡胴を備えたことを特徴とするカメラ。
【発明の詳細な説明】
【技術分野】
【０００１】
本発明は、沈胴式のレンズ鏡胴、特に構成枚数の多いレンズ群をより薄型に沈胴させるに好適なレンズ鏡胴に関するものである。
【背景技術】
【０００２】
従来より、カメラにおいては、撮影に使用しない時には携帯時の利便性を優れたものとするべく、撮像光学系を構成する光学要素であるレンズ群の間隔を縮めて薄型に収納する、所謂沈胴式のレンズ鏡胴を採用したカメラが一般的となっている。
【０００３】
この沈胴式のレンズ鏡胴として、フォーカシングレンズを駆動する駆動モータを鏡胴内に配置し、縮退してくるレンズ群枠と駆動モータの干渉を避けるため、レンズ群枠に切り欠き部を形成し、沈胴時には駆動モータが縮退してくるレンズ群枠と干渉しないよう構成して薄型化するものが開示されている（例えば、特許文献１参照）。
【０００４】
更に近年では、沈胴時に、撮影光学系を構成する光学要素の間隔を光軸方向に縮めるのみならず、一部の光学要素を、他の光学要素の光軸と異なる位置に退避させて、より薄く沈胴するレンズ鏡胴を使用したカメラも市販されている。
【０００５】
この一部の光学要素を、他の光学要素の光軸と異なる位置に退避させ、薄く沈胴させようとするレンズ鏡胴として、３群以上で構成された撮影レンズの前群レンズを除く一つのレンズ群を前群レンズ脇に退避させ、もう一つのレンズ群を固体撮像素子脇に退避させ、薄く沈胴させようとするものが開示されている（例えば、特許文献２参照）。
【特許文献１】特開２００３−２８７６７０号公報
【特許文献２】特開２００４−３１７９４３号公報
【発明の開示】
【発明が解決しようとする課題】
【０００６】
上記特許文献１に記載のレンズ鏡胴は撮影時、例えば同文献の図３に示されたテレ状態の時に、前群レンズを通過した撮影光束以外の不要光が、第２ズームレンズ筒に形成された駆動モータが挿入される開口部からフォーカシングレンズ側へ侵入し撮像素子へ到達して、撮影画像にゴーストを発生させたり、撮影画像のコントラスト低下を発生させる問題がある。この問題は、モータの側面をカバー部材で覆うことでは解消できない。
【０００７】
また、上記特許文献２に記載のレンズ鏡胴は、例えば同文献の図１４に示されているように、沈胴時には前群レンズより後方に配置されるレンズ群を前群レンズ脇に退避するよう構成されている。このため、被写体光の光量制御を行うシャッタユニットが組み付けられた鏡胴部材である後群ガイド枠には、沈胴時に前群レンズ脇に退避するレンズ群や回転軸と干渉しないように開口部が形成されている。この開口部は、沈胴時にレンズ鏡胴を薄くするのには効果を有するが、例えば同文献の図９に示された状態、即ちレンズ鏡胴が撮影時、特に各レンズ群がワイド状態の位置にあるとき、前群レンズを通過した撮影光束以外の不要光が、この開口部からフォーカシングレンズ側へ侵入し撮像素子へ到達して、撮影画像にゴーストを発生させたり、撮影画像のコントラスト低下を発生させる問題がある。
【０００８】
本発明は上記問題に鑑み、沈胴時には、より薄く沈胴できると共に、撮影時である繰り出し状態においては、鏡胴内を回り込んだ不要光による撮影画像の劣化のない良好な画像が撮影できるレンズ鏡胴を得ると共に、このレンズ鏡胴を備えることにより、携帯時は薄型で、撮影時には不要光による撮影画像の劣化のない良好な画像が撮影できるカメラを得ることを目的とするものである。
【課題を解決するための手段】
【０００９】
上記の目的は、以下の構成により解決される。
【００１０】
１）  複数のレンズ群からなる撮像光学系と、前記撮像光学系を保持し、繰り出し及び沈胴を行うレンズ鏡胴において、前記レンズ鏡胴は、前記撮像光学系による被写体光束通過部と異なる位置に開口部が形成された鏡胴部材と、前記開口部を開閉する開閉部材を有し、前記レンズ鏡胴が沈胴するときは前記開閉部材が前記開口部を開状態とし、前記レンズ鏡胴が撮影時の繰り出し位置にあるときは前記開閉部材が前記開口部を閉状態とすることを特徴とするレンズ鏡胴。
【００１１】
２）  被写体光束通過部と異なる位置に開口部が形成された鏡胴部材は、絞り及び／又はシャッタを設けた鏡胴部材であり、前記開閉部材は、前記鏡胴部材の前記絞り及び／又はシャッタと異なる面に配置されている１）のレンズ鏡胴。
【００１２】
３）  前記開口部は、沈胴時に前記レンズ鏡胴内に配置されたモータが挿入される１）又は２）のレンズ鏡胴。
【００１３】
４）  前記レンズ鏡胴は、沈胴時に前記撮像光学系のうちの所定のレンズ群を他のレンズ群の光軸と異なる位置に退避させるよう構成されると共に、退避した前記所定のレンズ群が前記開口部に挿入される１）又は２）のレンズ鏡胴。
【００１４】
５）  前記所定のレンズ群が他のレンズ群の光軸と異なる位置に退避したときは、前記開閉部材が他のレンズ群の光軸上に間挿される４）のレンズ鏡胴。
【００１５】
６）  １）〜５）のいずれかのレンズ鏡胴を備えたカメラ。
【発明の効果】
【００１６】
上記１）の発明によれば、沈胴時には、より薄く沈胴できると共に、撮影時である繰り出し状態においては、鏡胴内を回り込んだ不要光による撮影画像の劣化のない良好な画像が撮影できるレンズ鏡胴を得ることが可能となる。
【００１７】
上記２）の発明によれば、開閉部材の機構構成の自由度が増し、信頼性に優れた開閉機構とすることができる。
【００１８】
上記３）又は４）の発明によれば、沈胴時には、より薄く沈胴できるレンズ鏡胴を得ることができる。
【００１９】
上記５）の発明によれば、鏡胴内のスペースを有効に使うことができ、開閉部材を内蔵しても鏡胴径を小径のままとすることができる。
【００２０】
上記６）の発明によれば、携帯時は、より薄型で、撮影時には不要光による撮影画像の劣化のない良好な画像が撮影できるカメラを得ることが可能となる。
【発明を実施するための最良の形態】
【００２１】
以下、実施の形態により本発明を詳しく説明するが、本発明はこれに限定されるものではない。
【００２２】
（第１の実施の形態）
図１は、第１の実施の形態に係るレンズ鏡胴１００の沈胴時の状態を示す断面図である。
【００２３】
同図において、１は第１レンズ群、２は第２レンズ群、３は第３レンズ群であり、この３つのレンズ群により撮像光学系が形成されている。４に示す位置には、赤外光カットフィルタとオプチカルローパスフィルタが積層された光学フィルタと撮像素子が配置される。５は、光学フィルタ、撮像素子等を保持している地板である。
【００２４】
地板５には、固定胴２３が固定されている。固定胴２３の内側には固定胴２３に対し回転可能で光軸Ｏ方向にも移動可能に支持されたカム筒２２が配置されている。カム筒２２の内側には前筒２１が配置されている。
【００２５】
前筒２１の内側には直進ガイド３１が配置されており、この直進ガイド３１は固定胴２３に形成された直進ガイド溝に係合して回転規制される係合板と一体的に構成されており、回転はせずに、カム筒２２の光軸Ｏ方向への移動に伴ってカム筒２２と共に光軸Ｏ方向に移動可能になっている。
【００２６】
第１レンズ群１は第１レンズ群鏡枠１１に保持され、この第１レンズ群鏡枠１１は前筒２１によって支持されている。前筒２１はカムピン２１ｐがカム筒２２の内周面に形成されたカム溝２２ｍに係合すると共に、前筒２１の一部が直進ガイド３１と係合しており、カム筒２２の固定胴２３に対する回転及び光軸Ｏ方向への移動により、光軸Ｏ方向に直進移動を行うようになっている。
【００２７】
第２レンズ群２は第２レンズ群移動鏡枠１２に保持され、この第２レンズ群移動鏡枠１２はその一部が直進ガイド３１と係合すると共に、一体的に形成もしくは植設されたカムピンがカム筒２２の内周面に形成された図示していないカム溝に係合し、カム筒２２の回転及び光軸Ｏ方向への移動によって、光軸Ｏ方向に直進移動を行うようになっている。また、この第２レンズ群移動鏡枠１２に、絞りシャッタユニット１６が固定されている。なお、絞りシャッタユニット１６は、絞りとシャッタを共に有するものだけでなく、絞りのみ、シャッタのみ、を有するものであってもよい。
【００２８】
第３レンズ群３は第３レンズ群鏡枠１３に保持され、この第３レンズ群鏡枠１３はステッピングモータ１４により、ズーミング及びフォーカシング時共に光軸Ｏ方向に移動可能に構成され、他のレンズ群とは独立して駆動されるようになっている。
【００２９】
１５はフォトインタラプタであり、このフォトインタラプタ１５の投光部と受光部の間に、第３レンズ群鏡枠１３の一部が挿入されるようになっている。第３レンズ群鏡枠１３の位置、即ち第３レンズ群３の位置は、フォトインタラプタ１５の投光部と受光部の間から第３レンズ群鏡枠１３の一部が離脱した位置を基準に、ステッピングモータ１４が駆動されて位置決めされるようになっている。
【００３０】
カム筒駆動ギア４１は、鏡胴外に配置された図示していないモータ、減速ギア列及び柱状のギアにより正逆回転され、カム筒駆動ギア４１によってカム筒２２の正逆回転が可能となされている。
【００３１】
カム筒２２には、カムピン２２ｐが一体的に成形又は植設されており、カム筒２２の回転により、固定胴２３の内周面に形成されたカム溝２３ｍに案内されて光軸Ｏ方向に移動可能となっている。カム筒２２の内周面のカム溝は、前筒２１に形成されたカムピン２１ｐと係合するカム溝２２ｍと第２レンズ群枠１２と係合する図示していないカム溝の２種が形成されており、第１レンズ群１及び第２レンズ群２をそれぞれ所望の位置に移動させて、ズーミングが行われるようになっている。
【００３２】
更に、第２レンズ群移動鏡枠１２の撮像光学系による被写体光束通過部と異なる位置には開口部１２ｋが形成され、沈胴時には図示の如く、開口部１２ｋにステッピングモータ１４が貫通して挿入され、沈胴時のレンズ鏡胴１００をより薄くするようになっている。
【００３３】
図２は、第１の実施の形態に係るレンズ鏡胴１００のワイド時の状態を示す断面図である。
【００３４】
同図に示すレンズ鏡胴１００のワイド時の状態へは、図１に示す沈胴状態から、鏡胴外に配置された図示していないモータ、減速ギア列及び柱状のギアにより、カム筒駆動ギア４１が駆動され、固定胴２３に対しカム筒２２が回転することで、固定胴２３のカム溝２３ｍに案内されてカム筒２２が繰り出され、更に、カム筒２２の内周面に形成されたカム溝２２ｍ、カムピン２１ｐ及び直進ガイド３１により前筒２１が所定の位置に繰り出され、カム筒２２の内周面に形成されたカム溝２２ｎと第２レンズ群移動鏡枠１２に形成されたカムピン１２ｐ及び直進ガイド３１により第２レンズ群移動鏡枠１２が所定の位置に繰り出されることで行われる。更に、この後、第３レンズ群鏡枠１３がステッピングモータ１４により所定のワイド位置に移動された後、フォーカシングが行われる。
【００３５】
このワイドの状態から更にカム筒駆動ギア４１を駆動して、カム筒２２を回転させることにより、カム筒２２の内周面に形成したカム溝によって、第１レンズ群１及び第２レンズ群２の位置を変化させてズーミングが行われる。
【００３６】
この撮影時の繰り出し状態のとき、図示の如く、ステッピングモータ１４は第２レンズ群移動鏡枠１２に形成されている開口部１２ｋから離脱し、開口部１２ｋは第２レンズ群移動鏡枠１２に備えられた開閉部材３２により閉状態とされる。
【００３７】
図３は、第２レンズ群移動鏡枠１２に備えられた開閉部材３２の開閉機構の例を示す模式図である。同図は、第２レンズ群移動鏡枠１２を第３レンズ群鏡枠１３側から見たものである。同図（ａ）はレンズ鏡胴が沈胴したときの開閉部材３２の状態を示し、同図（ｂ）はレンズ鏡胴が繰り出されたときの開閉部材３２の状態を示している。なお、同図はカムピンや直進ガイド３１との係合部の形状、開閉部材３２のあおり止め部品等は省略して図示している。
【００３８】
同図（ａ）（ｂ）に示したように、開閉部材３２は第２レンズ群移動鏡枠１２の絞りシャッタユニット１６が設けられた面と異なる面の、第２レンズ群２が内包された、２ｄで示す円筒状の部位に回動可能に支持されている。絞りシャッタユニット１６と異なる面に配置することで、開閉部材の機構構成の自由度が増し、信頼性に優れた開閉機構とすることができる。
【００３９】
また、開閉部材３２には歯車形状部３２ｇが形成されており、モータ４３を駆動することによりアイドラー歯車４２を介して、回動させることができるようになっている。モータ４３はステッピングモータ、ＤＣモータのいずれでもよい。
【００４０】
同図（ａ）の如く、沈胴時には開閉部材３２が図示矢印方向に回動させられ、開閉部材３２の扇形部の一方が、ストッパー５１に当接して停止し、第２レンズ群移動鏡枠１２に形成された開口部１２ｋと開閉部材３２の扇形部に形成された孔部３２ｋが合い重なる位置となって、開口部１２ｋは開状態となる。
【００４１】
同図（ｂ）は、モータ４３を駆動して開閉部材３２を図示矢印方向へ回動させ、開閉部材３２の扇形部の他方がストッパー５２に当接して停止した状態を示している。このときは、開閉部材３２の扇形部に形成された孔部３２ｋと第２レンズ群移動鏡枠１２に形成された開口部１２ｋは、ずれて位置することになり、開口部１２ｋは閉状態となる。
【００４２】
以上のように構成された開閉部材３２の開閉機構は以下のように動作する。
【００４３】
レンズ鏡胴１００の図１に示す沈胴状態から図２に示す広角端へ繰り出す場合には、第２レンズ群移動鏡枠１２が繰り出され、ステッピングモータ１４が開口部１２ｋを離脱した後、モータ４３を駆動して開閉部材３２を図３（ｂ）に示した閉状態とする。レンズ鏡胴１００が撮影時の繰り出し位置にあるときは、この閉状態が維持される。一方、レンズ鏡胴１００が撮影時の繰り出し位置から沈胴状態とする場合は、まずモータ４３を駆動して開閉部材３２を図３（ａ）に示す開状態とした後、レンズ鏡胴１００の沈胴動作が行われ、ステッピングモータ１４が開状態となった開口部１２ｋに貫通挿入され図１に示す状態となる。
【００４４】
以上説明したように、図１に示すレンズ鏡胴１００の沈胴時には、図３（ａ）に示すように開口部１２ｋを開状態としてステッピングモータ１４の貫通挿入を可能とすることで薄く沈胴でき、レンズ鏡胴１００が撮影時の繰り出し位置では、図３（ｂ）に示すように開口部１２ｋを閉状態として、第１レンズ群１を通過して開口部１２ｋから侵入する不要光を遮断することができ、ゴーストの発生や撮影画像のコントラスト低下を解消することが可能になる。
【００４５】
なお、開閉部材をモータを用いて開閉する例で説明したが、これに限るものでなく、ソレノイド等の直進移動するアクチュエータを用い開閉部材を開閉するよう構成してもよいし、沈胴動作中に他の鏡胴部材と機械的な連動機構を構成し開閉部材を開閉するようにしても本発明を逸脱するものでない。
【００４６】
（第２の実施の形態）
図４は、第２の実施の形態に係るレンズ鏡胴１５０のワイド時の状態を示す概略断面図である。
【００４７】
同図において、Ｏは光軸であり、１は第１レンズ群、２は第２レンズ群、３は第３レンズ群、５４は光学フィルタであり、赤外光カットフィルタとオプチカルローパスフィルタを積層したフィルタである。これらにより、撮像光学系が構成されている。５５は撮像素子である。
【００４８】
６１は第１レンズ群鏡枠であり、第１レンズ群１を保持し、前筒７１に保持されている。６２は第２レンズ群鏡枠であり、第２レンズ群２を保持し、この第２レンズ群鏡枠６２は、第２レンズ群移動鏡枠６６に保持されると共に、回動して光軸Ｏから退避可能に構成されている。６４は絞り及び／又はシャッタユニットであり、第２レンズ群移動鏡枠６６に保持されている。６３は第３レンズ群鏡枠であり、第３レンズ群３を保持し、図示していないステッピングモータにより光軸Ｏ方向に移動可能に構成されている。第３レンズ群鏡枠６３は、独立して移動が可能であり、これにより第３レンズ群３を移動させてフォーカシングを行うことができる。６５は地板であり、光学フィルタ５４、撮像素子５５を保持している。
【００４９】
次いで、レンズ鏡胴１５０の動作について説明する。
【００５０】
同図において、地板６５には固定胴７４が組み付けられている。この固定胴７４には、内面にカム溝７４ｃが形成されている。７３は中間胴であり、図示していないモータ及び減速ギア列と柱状ギア８６を介して、中間胴駆動ギア８５により回転させられる。中間胴７３は、この回転により、中間胴７３に植設されたカムピン７３ｐが、固定胴７４に形成されたカム溝７４ｃに案内されて光軸Ｏ方向の移動を行うようになっている。
【００５１】
案内リング８３は固定胴７４に形成された直進ガイド部に係合しており、光軸Ｏ方向への直進移動が可能になされ、中間胴駆動ギア８５を保持しつつ、中間胴７３の光軸Ｏ方向への移動に伴って、光軸Ｏ方向に直進移動する。この案内リング８３には、カム溝と直進ガイド部が形成されている。
【００５２】
カム筒７２は、中間胴７３及び案内リング８３に係合するカムピン７２ｐが植設されており、カムピン７２ｐの係合する中間胴７３の回転によりカム筒７２も回転し、カムピン７２ｐの係合する案内リング８３に形成されたカム溝に案内されて光軸Ｏ方向の移動を行うようになっている。即ち、カムピン７２ｐは、中間胴７３の光軸と平行な方向に形成されたキー溝と、案内リング８３に形成されたカム溝に係合している。カム筒７２の内面には、前筒７１及び第２レンズ群移動鏡枠６６をそれぞれ案内するカム溝が形成されている。
【００５３】
直進ガイド８２Ａは、案内リング８３に形成された直進ガイド部に係合しており、光軸Ｏ方向への直進移動が可能になされ、カム筒７２の光軸Ｏ方向への移動に伴って、光軸Ｏ方向に直進移動する。化粧筒８２Ｂも、案内リング８３に形成された直進ガイド部に係合しており、光軸Ｏ方向への直進移動が可能になされ、カム筒７２の光軸Ｏ方向への移動に伴って、光軸Ｏ方向に直進移動する。
【００５４】
前筒７１は、カム筒７２に形成された一方のカム溝に係合するカムピン７１ｐが植設されていると共に、直進ガイド８２Ａに係合している。また、第２レンズ群移動鏡枠６６は、カム筒７２に形成された他方のカム溝に係合するカムピン６６ｐが形成されていると共に、直進ガイド８２Ａに係合している。
【００５５】
これにより、カム筒７２の回転により、前筒７１及び第２レンズ群移動鏡枠６６は、それぞれに係合するカム溝に案内され、光軸Ｏ方向に直進移動させられ、前筒７１に保持された第１レンズ群１及び第２レンズ群移動鏡枠６６に保持された第２レンズ群２の、間隔を変更することでズーミングを行うことができる。
【００５６】
この状態から更にカム筒駆動ギア８５を駆動して、中間胴７３を回転させることにより、カム筒７２の内周面に形成したカム溝によって、第１レンズ群１及び第２レンズ群２の位置を変化させてズーミングが行われる。
【００５７】
更に、第２レンズ群移動鏡枠６６には、撮像光学系による被写体光束通過部と異なる位置に開口部６６ｋを有しており、このワイド時を含む撮影時の繰り出し状態のときは、図示の如く、第２レンズ群移動鏡枠６６に形成されている開口部６６ｋは、第２レンズ群移動鏡枠６６に備えられた開閉部材６７により遮蔽された閉状態とされている。
【００５８】
以上が、第２の実施の形態に係るレンズ鏡胴１５０の概略の動作である。
【００５９】
図５は、第２の実施の形態に係るレンズ鏡胴１５０の沈胴時の状態を示す概略断面図である。
【００６０】
同図に示すレンズ鏡胴１５０の沈胴の状態へは、図４に示すワイドの状態から、第３レンズ群鏡枠６３を地板６５側に移動させた後、図示していないモータ及び減速ギア列と柱状ギア８６を介して、中間胴駆動ギア８５を逆方向に回転させて、中間胴７３を逆回転させることで行われる。
【００６１】
中間胴７３の逆回転により、カム筒７２が逆回転させられ、前筒７１及び第２レンズ群移動鏡枠６６は、それぞれに係合するカム溝に案内されて接近すると共に、中間胴７３及びカム筒７２は、地板６５側に移動する。
【００６２】
この時、第２レンズ群移動鏡枠６６に保持されている第２レンズ群鏡枠６２は、後に詳述する回動軸に軸支されており、この回動軸を中心に回動して、他のレンズ群の光軸と異なる位置に退避する。また、ワイド時を含む撮影時の繰り出し状態のときに、第２レンズ群移動鏡枠６６に形成されている開口部６６ｋを、閉状態としていた開閉部材６７は、図示の如く光軸Ｏ側に移動し、開口部６６ｋは開状態とされる。
【００６３】
第２レンズ群鏡枠６２は光軸Ｏから退避した後、更に、回動軸に対し摺動移動することで、開状態となった開口部６６ｋに入り込んで収納される。
【００６４】
中間胴７３及びカム筒７２は、地板６５側に移動し、第３レンズ群３、第２レンズ群移動鏡枠６６、絞り及び／又はシャッタユニット６４、第１レンズ群１を最小限の隙間のみを有して近接させ、図示の沈胴状態となる。
【００６５】
図６は、第２レンズ群鏡枠６２の退避と摺動、及び開閉部材６７の開閉機構の一例を示す斜視図である。同図は第２レンズ群鏡枠６２及び第２レンズ群移動鏡枠６６を撮像素子側から見た図であり、レンズ鏡胴が繰り出され、第２レンズ群２が光軸Ｏ上に位置して撮影可能な状態を示している。
【００６６】
同図に示すように、第２レンズ群移動鏡枠６６には、回動軸９１が植設され、第２レンズ群鏡枠６２に形成された筒状部６２ｔが挿入されている。この筒状部６２ｔと第２レンズ群移動鏡枠６６の間には、ねじりコイルバネ９２が組み付けられ、回動軸９１には筒状部６２ｔの抜け止め９３が組み付けられている。
【００６７】
このねじりコイルバネ９２は、コイル部で第２レンズ群鏡枠６２に形成された筒状部６２ｔを図示矢印Ａ方向に付勢しつつ、両端部で第２レンズ群鏡枠６２の腕部を図示矢印Ｂ方向に付勢している。第２レンズ群鏡枠６２に形成された突起部６２ｓは、第２レンズ群移動鏡枠６６に形成されたストッパピン６６ｓに当接して第２レンズ群鏡枠６２、即ち第２レンズ群２を光軸Ｏ上に位置させている。６５ｃ及び６５ｄは地板６５に形成されたカム板であり、レンズ鏡胴が繰り出され撮影可能な状態では、第２レンズ群鏡枠６２とは離間した状態となっている。
【００６８】
また、第２レンズ群移動鏡枠６６には軸９４が形成されており、この軸９４にカラー９５と一体的に形成された開閉部材６７が回動可能に軸支されている。この開閉部材６７はバネ９６により、図示矢印Ｃ方向に付勢されている。このため、図示の如く第２レンズ群移動鏡枠６６に形成された、被写体光束通過部である光軸Ｏと異なる位置の開口部６６ｋは、開閉部材６７により遮蔽され閉状態となっている。
【００６９】
この状態から、レンズ鏡胴を沈胴方向に駆動すると第２レンズ群移動鏡枠６６は、地板６５に形成されたカム板６５ｃ、６５ｄ方向へ移動し、カム板６５ｃに形成された傾斜部６５ｋと筒状部６２ｔに形成されたピン６２ｐが当接し、傾斜部６５ｋの傾斜に沿って、筒状部６２ｔは回動させられる。これにより、第２レンズ群鏡枠６２は回動軸９１を中心にして、ねじりコイルバネ９２の付勢力に抗して、図示矢印Ｂと逆の方向に回動させられ光軸Ｏから退避して開口部６６ｋ上に位置することとなる。
【００７０】
このとき同様に、カム板６５ｄに形成された傾斜部６５ｍとカラー９５に形成されたピン９５ｐが当接し、傾斜部６５ｍの傾斜に沿って、カラー９５は回動させられる。これにより、開閉部材６７は軸９４を中心にして、バネ９６の付勢力に抗して、図示矢印Ｃと逆の方向に回動させられ、光軸Ｏ上に位置することとなる。
【００７１】
図７は、開閉部材６７と第２レンズ群鏡枠６２の回動を模式的に示した図である。同図（ａ）は、レンズ鏡胴が繰り出された撮影時における開閉部材６７と第２レンズ群鏡枠６２の状態を示し、同図（ｂ）は、開閉部材６７と第２レンズ群鏡枠６２がカム板６５ｃ、６５ｄにより回動させられた時の状態を示している。
【００７２】
同図（ａ）に示すように、撮影時には光軸Ｏ上に第２レンズ群鏡枠６２に保持された第２レンズ群２が位置し、開閉部材６７は開口部６６ｋを遮蔽して閉状態としている。また、同図（ｂ）に示すように、沈胴動作中に、開閉部材６７は開口部６６ｋ上から光軸Ｏ上に回動して開口部６６ｋを開状態とし、第２レンズ群鏡枠６２は光軸Ｏから退避し、開口部６６ｋ上に位置することになる。
【００７３】
図６に戻り、上述の状態から第２レンズ群移動鏡枠６６を、更に撮像素子方向へ移動させることで、カム板６５ｃに形成された直線部６５ｐとピン６２ｐが当接するようになり、第２レンズ群鏡枠６２は、この直線部６５ｐの押圧により、ねじりコイルバネ４２の付勢力に抗して、回動軸９１を図示矢印Ａと逆方向に摺動移動して開口部６６ｋに入り込んで収納される。
【００７４】
即ち、第２レンズ群鏡枠６２は、沈胴時に像面側に移動する鏡胴部材である第２レンズ群移動鏡枠６６に設けられた回動軸９１に軸支され、回動軸９１を中心に回動すると共に、回動軸９１に対し、摺動して移動し、第２レンズ群移動鏡枠６６に形成された開口部６６ｋに入り込んだ状態となる。
【００７５】
このようにしてレンズ鏡胴１５０は、図５に示す沈胴状態となる。
【００７６】
以上説明したように、レンズ鏡胴１５０の沈胴時には、開口部６６ｋを開状態として退避した第２レンズ群鏡枠６２を貫通挿入させることで薄く沈胴でき、レンズ鏡胴１５０が撮影時の繰り出し位置では、開閉部材６７により開口部６６ｋを閉状態として、第１レンズ群１を通過して開口部６６ｋから侵入する不要光を遮断することができ、ゴーストの発生や撮影画像のコントラスト低下を解消することが可能になる。
【００７７】
また、このように開閉部材６７と第２レンズ群鏡枠６２の回動位置を光軸Ｏ上と開口部６６ｋ上で交互に移動させるように構成することで、鏡胴内のスペースを有効に使うことができ、鏡胴径を小径のままに、開閉部材６７を内蔵することができる。
【００７８】
なお、上記の第１及び第２の実施の形態では、開閉部材を単部品で形成した例で説明したが、複数枚の羽根状の部材で構成して開閉を行うようにしてもよい。また、３群ズームレンズを例に取り説明したが、２群ズームや４群以上のレンズ構成においても適用可能なのは言うまでもない。また、開口部が円形に形成されたもので説明したが、Ｕ字状の切り欠き形状等であってもよいのは勿論である。
【００７９】
図８は、上記の実施の形態に係るレンズ鏡胴を備えたカメラの一例を示す外観図である。同図（ａ）はカメラ前面の斜視図、同図（ｂ）はカメラ背面の斜視図である。
【００８０】
同図（ａ）において、１５０は第２の実施の形態で説明したレンズ鏡胴であり、内部にはズーム撮像光学系が内包されている。１１１はファインダ窓、１１２はレリーズ釦、１１３はフラッシュ発光部、１１４は調光用センサ窓、１１５はストラップ取り付け部、１１６は外部入出力端子（例えば、ＵＳＢ端子）である。１１７はスライドバリアであり、スライドバリア１１７を閉じ方向に操作するとレンズ鏡胴１５０は沈胴する。１１８は音声記録用のマイクである。
【００８１】
レリーズ釦１１２はその１段の押し込みによりカメラの撮影準備動作、即ち焦点合わせ動作や測光動作が行われ、その２段の押し込みにより撮影露光動作が行われる。
【００８２】
同図（ｂ）において、１２０はファインダ接眼部、１２１は赤と緑の表示ランプであり、ＡＦやＡＥの情報を、点灯もしくは点滅により撮影者に表示するものである。１２２はズーム釦であり、ズームアップ、ズームダウンをおこなう釦である。１２３はメニュー／セット釦、１２４は選択釦で４方向スイッチであり、１２５は画像表示部であり画像やその他文字情報等を表示する。メニュー／セット釦１２３で、画像表示部１２５上に各種のメニューを表示させ、選択釦１２４で選択し、メニュー／セット釦１２３で確定させる機能を有している。１２６は再生釦で、撮影した画像の再生をおこなう釦である。１２７はディスプレイ釦で、画像表示部１２５に表示された画像やその他文字情報の表示や消去を選択する釦である。１２８は消去釦で、撮影記録した画像の消去をおこなう釦である。１２９は三脚穴、１３０は電池／カード蓋、１３１は音声再生のスピーカである。電池／カード蓋１３０の内部には、本カメラの電源を供給する電池と、撮影した画像を記録するカード用のスロットが備えられており、電池及び画像を記録するカード型の記録用メモリが挿脱可能になっている。
【００８３】
このように、上記で説明したレンズ鏡胴をカメラに備えることにより、携帯時は薄型で、撮影時である繰り出し状態においては、鏡胴内を回り込んだ不要光による撮影画像の劣化のない良好な画像が撮影できるカメラを得ることが可能となる。
【００８４】
なお、第１の実施の形態で説明したレンズ鏡胴を備えたカメラについては、図８に示すカメラのレンズ鏡胴が２段で構成されたものとなり、レンズ鏡胴の中心に被写体光の入射する開口が形成されたものとなる。
【図面の簡単な説明】
【００８５】
【図１】第１の実施の形態に係るレンズ鏡胴の沈胴時の状態を示す断面図である。
【図２】第１の実施の形態に係るレンズ鏡胴のワイド時の状態を示す断面図である。
【図３】第２レンズ群移動鏡枠に備えられた開閉部材の開閉機構の例を示す模式図である。
【図４】第２の実施の形態に係るレンズ鏡胴のワイド時の状態を示す概略断面図である。
【図５】第２の実施の形態に係るレンズ鏡胴の沈胴時の状態を示す概略断面図である。
【図６】第２レンズ群鏡枠の退避と摺動、及び開閉部材の開閉機構の一例を示す斜視図である。
【図７】開閉部材と第２レンズ群鏡枠の回動を模式的に示した図である。
【図８】実施の形態に係るレンズ鏡胴を備えたカメラの一例を示す外観図である。
【符号の説明】
【００８６】
１  第１レンズ群
２  第２レンズ群
３  第３レンズ群
５  地板（第１の実施の形態）
１１  第１レンズ群鏡枠（第１の実施の形態）
１２  第２レンズ群移動鏡枠（第１の実施の形態）
１３  第３レンズ群鏡枠（第１の実施の形態）
１４  ステッピングモータ（第１の実施の形態）
１５  フォトインタラプタ（第１の実施の形態）
１６  絞り及び／又はシャッタユニット（第１の実施の形態）
２１  前筒（第１の実施の形態）
２２  カム筒（第１の実施の形態）
２３  固定胴（第１の実施の形態）
３２  開閉部材（第１の実施の形態）
６１  第１レンズ群鏡枠（第２の実施の形態）
６２  第２レンズ群鏡枠（第２の実施の形態）
６３  第３レンズ群鏡枠（第２の実施の形態）
６４  絞り及び／又はシャッタユニット（第２の実施の形態）
６５  地板（第２の実施の形態）
６６  第２レンズ群移動鏡枠（第２の実施の形態）
６７  開閉部材（第２の実施の形態）
７１  前筒（第２の実施の形態）
７２  カム筒（第２の実施の形態）
７３  中間胴（第２の実施の形態）
７４  地板（第２の実施の形態）
【図１】
2006243119.tif 000003
【図２】
2006243119.tif 000004
【図３】
2006243119.tif 000005
【図４】
2006243119.tif 000006
【図５】
2006243119.tif 000007
【図６】
2006243119.tif 000008
【図７】
2006243119.tif 000009
【図８】
2006243119.tif 000010